(57)【要約】【課題】安全ボタンを押したまま水温調整部を操作しても高温の湯が吐水されることを防止することができる水栓を提供する。【解決手段】本発明の水栓は、水栓本体２８と、周方向に回転し、湯水の温度を調節する水温調整部と、径方向の外側から押された際に、径方向の外側から内側に移動する安全ボタンと、安全ボタンの径方向内側の先端部に設けられた係止部と、を備えている。水栓本体２８に、Ｃ方向において低温停止位置ＰＸ０と高温停止位置ＰＸ４との間に設けられ、安全ボタンが押圧されていない状態で係止部が当接し、Ｈ方向への係止部の移動を規制する第１当たり面３２２と、Ｃ方向において低温停止位置ＰＸ０と高温停止位置ＰＸ４との間に設けられ、安全ボタンが第２位置まで押圧された状態で係止部が当接し、Ｈ方向への係止部の移動を規制する第２当たり面３４０が設けられている。【選択図】図３
2019044460.tif 000002
【特許請求の範囲】
【請求項１】
水栓本体と、
前記水栓本体に接続され、軸中心に周方向に回転すると共に、前記水栓本体から吐出される湯水の温度を調節する水温調整部と、
前記水温調整部の外周面から前記水温調整部の径方向の外側に突出し、前記径方向の外側から押された際に、前記径方向の外側から内側に移動する安全ボタンと、
前記安全ボタンの径方向内側の先端部に設けられた係止部と、
を備え、
前記水栓本体に、
前記周方向において、前記水温調整部を前記湯水が低温になる周方向に回転させたときに前記水温調整部の回転が停止する低温停止位置と、前記水温調整部を前記湯水が高温になる周方向に回転させたときに前記水温調整部の回転が停止する高温停止位置との間に設けられ、前記安全ボタンが押圧されていない状態で前記水温調整部を前記湯水が高温になる周方向に回転させた際に、前記係止部が当接し、前記湯水が高温になる周方向への前記係止部の移動を規制する第１当たり面と、
前記周方向において前記低温停止位置と前記高温停止位置との間に設けられ、前記安全ボタンが前記径方向の最も内側まで押圧された状態で前記水温調整部を前記湯水が高温になる周方向に回転させた際に、前記係止部が当接し、前記湯水が高温になる周方向への前記係止部の移動を規制する第２当たり面が設けられていることを特徴とする水栓。
【請求項２】
前記安全ボタンが前記径方向の外側から押された際に、
前記係止部は、前記径方向における第１位置から該第１位置より前記径方向の最も内側の第２位置に移動し、
前記水栓本体に、
前記安全ボタンが押圧された状態で前記水温調整部を回転させて、前記第１当たり面を乗り越えた後に前記安全ボタンの押圧を解除し、前記第１位置に復帰した前記係止部が当接し、前記湯水が高温になる周方向への移動を規制する第３当たり面と、
が設けられ、
前記第２当たり面は、前記第２位置にある前記係止部が当接し、前記湯水が高温になる周方向への移動を規制する請求項１に記載の水栓。
【請求項３】
前記水栓本体に、
前記径方向の前記第２当たり面と前記第３当たり面との間に形成され、前記周方向に沿って延び、前記係止部を案内可能な溝部が形成されている請求項２に記載の水栓。
【請求項４】
前記第２当たり面が前記第３当たり面より前記湯水が高温になる周方向の手前側にずれて形成されている請求項３に記載の水栓。
【請求項５】
前記第１当たり面の径方向内側の先端は、前記第３当たり面の径方向内側の先端よりも前記径方向の内側にある請求項２から請求項４の何れか一項に記載の水栓。
【請求項６】
前記第１当たり面の先端から前記湯水が高温になる周方向に進むに従って前記径方向の内側から外側に向かって傾斜する傾斜面が形成されている請求項２から請求項５の何れか一項に記載の水栓。
【発明の詳細な説明】
【技術分野】
【０００１】
本発明は、吐出される湯水の温度を調整可能な水栓に関する。
【背景技術】
【０００２】
水栓に、吐水口から吐水される湯水の温度を調節するための温調機構が取り付けられているものがある。例えば、特許文献１には、吐水される湯水の温度を変更可能なサーモスタット水栓の温調構造が開示されている。
【０００３】
特許文献１に記載されている水栓の温調ハンドル（水温調整部）には、該温調ハンドルの高温側への過剰な回転を防止する安全ボタンが設けられている。一方、特許文献１に記載されている水栓の本体側に、ストップリングが取り付けられている。ストップリングに、安全ボタンが当接する当たり面が２つ設けられている。２つの当たり面（即ち、低温当り面及び高温当たり面）は、ストップリングの周方向において互いに異なる位置に設けられている。
【先行技術文献】
【特許文献】
【０００４】
【特許文献１】特開平８−３０２７７２号公報
【発明の概要】
【発明が解決しようとする課題】
【０００５】
しかしながら、特許文献１に記載されている温調構造では、安全ボタンを押したまま温調ハンドルを回転させると、安全ボタンの当接片部が第２当たり面より径方向の内側に入ると考えられる。その場合、当接片部が径方向の内側に入り、温調ハンドルが一気に高温側に回転する虞があった。結果として、使用者の所望の温度より高温の湯が吐水されるという問題があった。
【０００６】
そこで、本発明は、安全ボタンを押したまま水温調整部を操作しても高温の湯が吐水されることを防止することができる水栓を提供する。
【課題を解決するための手段】
【０００７】
本発明の水栓は、水栓本体と、前記水栓本体に接続され、軸中心に周方向に回転すると共に、前記水栓本体から吐出される湯水の温度を調節する水温調整部と、前記水温調整部の外周面から前記水温調整部の径方向の外側に突出し、前記径方向の外側から押された際に、前記径方向の外側から内側に移動する安全ボタンと、前記安全ボタンの径方向内側の先端部に設けられた係止部と、を備え、前記水栓本体に、前記周方向において、前記水温調整部を前記湯水が低温になる周方向に回転させたときに前記水温調整部の回転が停止する低温停止位置と、前記水温調整部を前記湯水が高温になる周方向に回転させたときに前記水温調整部の回転が停止する高温停止位置との間に設けられ、前記安全ボタンが押圧されていない状態で前記水温調整部を前記湯水が高温になる周方向に回転させた際に、前記係止部が当接し、前記湯水が高温になる周方向への前記係止部の移動を規制する第１当たり面と、前記周方向において前記低温停止位置と前記高温停止位置との間に設けられ、前記安全ボタンが前記径方向の最も内側まで押圧された状態で前記水温調整部を前記湯水が高温になる周方向に回転させた際に、前記係止部が当接し、前記湯水が高温になる周方向への前記係止部の移動を規制する第２当たり面が設けられていることを特徴とする。
なお、「前記安全ボタンが前記径方向の最も内側まで押圧された状態」とは、安全ボタンが物理的に径方向の最も内側まで押圧された状態を示し、具体的には、径方向の内側で周方向に沿って形成された係止面に係止部の径方向の内側の先端面が係止された状態や、前述の係止面がない場合でも使用者の指等で安全ボタンが径方向の内側いっぱいまで押圧されて係止部が移動可能な範囲の最も径方向内側にある状態等を包括的に含んでいる。
【０００８】
本発明の水栓によれば、係止部が第１当たり面に当たって湯水が高温になる周方向への移動が規制されている状態から、使用者が安全ボタンを押したまま水温調整部を操作し、安全ボタンが径方向の最も内側にある状態で水温調整部が軸中心に周方向の高温側に回転しても、周方向の所定の位置で、係止部が第２当たり面に当たり、水温調整部の高温側への回転が規制される。従って、使用者が安全ボタンを押したまま水温調整部を操作しても、水温調整部が高温側へ急に回転することなく、水栓から高温の湯が吐水されることを防止することができる。
【０００９】
本発明の水栓は、前記安全ボタンが前記径方向の外側から押された際に、前記係止部は、前記径方向における第１位置から該第１位置より前記径方向の最も内側の第２位置に移動し、前記水栓本体に、前記安全ボタンが押圧されていない状態で前記水温調整部を回転させた際に、前記係止部が当接し、前記湯水が高温になる周方向への移動を規制する第２当たり面と、前記安全ボタンが押圧された状態で前記水温調整部を回転させて、前記第２当たり面を乗り越えた後に前記安全ボタンの押圧を解除し、前記第１位置に復帰した前記係止部が当接し、前記湯水が高温になる周方向への移動を規制する第３当たり面と、が設けられ、前記第２当たり面は、前記第２位置にある前記係止部が当接し、前記湯水が高温になる周方向への移動を規制してもよい。
【００１０】
本発明の水栓によれば、使用者が安全ボタンを一旦押して第１当たり面を超えた後に安全ボタンを離して水温調整部を操作し、水温調整部を周方向の高温側に回転させると、係止部が第３当たり面に当たるので、水温調整部の回転が周方向の所定の位置で止まる。また、使用者が安全ボタンを径方向の最も内側に押した状態で、水温調整部を操作し、水温調整部を周方向の高温側に回転させると、係止部は第２当たり面に当たるので、水温調整部の回転が周方向の所定の位置で止まる。従って、使用者が安全ボタンを押した後に離して操作するか、押したまま操作するかに依らず、水温調整部が高温側へ急に回転することなく、水栓から高温の湯が吐水されることを防止することができる。
【００１１】
本発明の水栓では、前記水栓本体に、前記径方向の前記第２当たり面と前記第３当たり面との間に形成され、前記周方向に沿って延び、前記係止部を案内可能な溝部が形成されていてもよい。
【００１２】
本発明の水栓によれば、使用者がより高温の湯水を使用したい際には、係止部が第２当たり面又は第３当たり面に当接した状態で、安全ボタンを所定の位置で保持することで、係止部を溝部へ案内することができ、高温の湯水を吐出させることが可能になる。また、溝部の底面が高温当たり面となり、該底面で湯水が高温になる周方向への係止部の移動が規制される。
【００１３】
本発明の水栓では、前記第２当たり面が前記第３当たり面より前記湯水が高温になる周方向の手前側にずれて形成されていてもよい。
【００１４】
本発明の水栓によれば、第２当たり面が第３当たり面より周方向の手前側にあることによって、係止部が第３当たり面に係止されている状態から使用者が安全ボタンを径方向の内側に押したときに、係止部が溝部の径方向内側の側面（即ち、周方向に沿う面）に当たり、溝部内へと円滑に導かれる。このことによって、使用者がより高温の湯水を使用したい場合に、高温の湯水を確実に吐出させることが可能になる。
【００１５】
本発明の水栓では、前記第１当たり面の径方向内側の先端は、前記第３当たり面の径方向内側の先端よりも前記径方向の内側にあることが好ましい。
【００１６】
本発明の水栓によれば、使用者が安全ボタンを押さずに湯水が高温になる周方向へ水温操作部を回転させた際に、係止部を第１当たり面で確実に一旦停止させ、湯水が高温になる周方向への係止部の移動を規制することができる。
【００１７】
本発明の水栓では、前記第１当たり面の先端から前記湯水が高温になる周方向に進むに従って前記径方向の内側から外側に向かって傾斜する傾斜面が形成されていてもよい。
【００１８】
本発明の水栓によれば、使用者が水温調整部を周方向に沿って回そうとすると、係止部が第１当たり面（即ち、標準的な位置であって、吐水される湯水の温度が標準温度に近くなる位置）に当接する。その後、使用者が安全ボタンを径方向外側から内側に押すと、係止部は、第２当たり面の傾斜に合わせて（第２当たり面の面方向に沿って）動き、先端に達した後、傾斜面に沿って案内され、第３当たり面に向かって円滑に導かれる。
【発明の効果】
【００１９】
本発明によれば、安全ボタンを押したまま水温調整部を操作しても高温の湯が吐水されることを防止することができる水栓が提供される。
【図面の簡単な説明】
【００２０】
【図１】本発明の一実施形態に係る水栓を備えた浴室の概略平面図である。
【図２】本発明の一実施形態に係る水栓の斜視図である。
【図３】本発明の一実施形態に係る水栓の水温調整部の側面図である。
【図４】本発明の一実施形態に係る水栓の水栓本体の側面図である。
【図５】本発明の一実施形態に係る水栓の複合吐水部及びその近傍の図であり、図２に示すＡ−Ａ線で矢視した断面図である。
【図６】本発明の一実施形態に係る水栓の切替弁の分解斜視図である。
【図７】本発明の一実施形態に係る水栓の切替弁の止水弁を斜め上側から下側に向かって見た斜視図である。
【図８】本発明の一実施形態に係る水栓の切替弁の止水弁を斜め下側から上側に向かって見た斜視図である。
【図９】本発明の一実施形態に係る複合吐水部の一部及び吐水管の分解斜視図である。
【図１０】本発明の一実施形態に係る複合吐水部の一部及び吐水管の別の分解斜視図である。
【図１１】本発明の一実施形態に係る水栓の複合吐水部の一部の図であって、（ａ）は平面図であり、（ｂ）は（ａ）のＢ−Ｂ線で矢視した断面図である。
【図１２】本発明の一実施形態に係る水栓の複合吐水部の一部の上面図であり、図１１に示す状態を示す図である。
【図１３】本発明の一実施形態に係る水栓の複合吐水部の一部の別の図であって、（ａ）は平面図であり、（ｂ）は（ａ）のＣ−Ｃ線で矢視した断面図である。
【図１４】本発明の一実施形態に係る水栓の複合吐水部の一部の上面図であり、図１３に示す状態を示す図である。
【図１５】本発明の一実施形態に係る水栓の複合吐水部の一部のさらに別の図であって、（ａ）は平面図であり、（ｂ）は（ａ）のＤ−Ｄ線で矢視した断面図である。
【図１６】本発明の一実施形態に係る水栓の複合吐水部の一部の上面図であり、図１５に示す状態を示す図である。
【発明を実施するための形態】
【００２１】
以下、本発明の吐水装置の一実施形態について、図面を参照して説明する。なお、以下の説明で用いる図面は模式的なものであり、長さ、幅及び厚みの比率などは実際のものと同一とは限らず、適宜変更することができる。
【００２２】
図１に示すように、本実施形態の浴室１は、浴槽１１と、浴槽１１に隣接する洗い場１４と、洗い場１４に付設された水栓１３と、浴槽１１に付設された水栓２０を備えている。洗い場１４にカウンター１２が設けられており、水栓１３はカウンター１２に設けられている。水栓１３は、シャワー又は整流を吐水することができる。水栓２０は、浴槽１１の外周の壁面（図示略）に設けられ、整流及びミストの何れか一方又は両方を吐水することができる。
【００２３】
水栓２０は、２つの壁面接続部２２，２２と、吐水操作部２３と、吐水管２１と、複合吐水部２５と、を備えている。なお、壁面接続部２２の一方には不図示の給水管から水が供給され、他方には不図示の給湯管から湯が供給されている。以下、水および湯が壁面接続部２２、吐水操作部２３、吐水管２１、及び複合吐水部２５の各々の流路内をこれらの順に流下する方向を「流下方向・Ｄ方向」と称する。流下方向において、壁面に近い方を「上流側」と称し、複合吐水部２５の吐水口に近い方を「下流側」と称する。
【００２４】
２つの壁面接続部２２は、壁面から浴槽１１に向けて水平方向（例えば、図１に示すＨ方向であって、紙面に平行の方向）に沿って延び、互いに近づき、再び水平方向に沿って延び、それぞれ吐水操作部２３に接続されている。
【００２５】
図２に示すように、吐水操作部２３は、水栓本体２８と、水量調節部２６と、水温調整部２７と、を備えている。水栓本体２８は、２つの壁面接続部２２の下流側の端部の延在方向（図２のＤ方向）に直交し、且つＸ方向に延びている。Ｘ方向は、水平面に沿う方向、且つ図１に示す浴槽１１の奥行き方向に平行な方向である。２つの壁面接続部２２の下流側の端部は、Ｘ方向において間隔をあけて水栓本体２８の上流側を向く面に接続されている。
【００２６】
水栓本体２８のＸ方向の一方の端部に、有底筒状の水量調節部２６が設けられている。水量調節部２６は、水栓本体２８と同軸に設けられている。水量調節部２６の外周面には、操作レバー２９が一体的に設けられている。水量調節部２６が軸Ｊ２６を中心に回転することによって、２つの壁面接続部２２から吐水管２１への吐水の開始と停止、及び２つの壁面接続部２２から吐水管２１に吐水される湯水の量が調整される。
【００２７】
水栓本体２８のＸ方向の他方の端部に、水温調整部２７が設けられている。水温調整部２７は、水栓本体２８と同軸に設けられている。水温調整部２７が軸Ｊ２７を中心に回転することによって、２つの壁面接続部２２から吐水管２１に吐水される湯水の量（バランス）が調整され、結果として、湯水の温度が調整される。
【００２８】
図３及び図４に示すように、水温調整部２７は、軸部４０４が水栓本体２８に形成された軸挿入部３０４に挿入されることで、水栓本体２８に接続されている。水温調整部２７は、軸部４０４の径方向中心の軸Ｊ２７を中心としてＣ方向（周方向）に回動する。水温調整部２７に、水温調整部２７の径方向（Ｒ方向）に延びる安全ボタン４１０が設けられている。安全ボタン４１０は、水温調整部２７の筒本体４００の外周面４００ｒからＲ方向（水温調整部の径方向）の外側に突出し、Ｒ方向の外側から内側に押された際に、Ｒ方向の外側から内側に移動する。本実施形態では、安全ボタン４１０は、Ｒ方向の外側から内側に押された際に、Ｒ方向の移動範囲のなかで最も外側の第１位置Ｐ１から最も内側の第２位置Ｐ２にわたって連続的に移動する。
【００２９】
安全ボタン４１０は、水温調整部２７の筒本体４００に形成された貫通孔４０８を貫通する本体部と、該本体部の先端に形成された係止部４１２と、を備えている。係止部４１２は、Ｒ方向の内側の先端部４１０ａから軸Ｊ２７に沿って筒本体４００の内部（即ち、図４の紙面の手前側）に突出している。
【００３０】
図３に示すように、水栓本体２８は、筒本体３００を備えている。筒本体３００に、ストップリング３１０が嵌められている。ストップリング３１０は、筒本体３００の側面３００ｓと略面一の基底面３１０ｓからＸ方向に沿って水栓本体２８の外方に向けて突出する突出部３２０を備えている。
【００３１】
突出部３２０には、安全ボタン４１０がＣ方向（周方向）の所定の位置ＰＸ０（低温停止位置），ＰＸ１，ＰＸ２，ＰＸ３，ＰＸ４（高温停止位置）にきたときに係止部４１２の側面４１６又は側面４１４が当接し、係止部４１２及び水温調整部２７のＣ方向の移動が規制される当たり面３６０が設けられている。
【００３２】
本実施形態では、ストップリング３１０のＲ方向の内側に、Ｃ方向において第２位置Ｐ２にある係止部４１２の先端面４１５（即ち、Ｒ方向の最も内側の面）が当接する第１係止面３１８が設けられている。また、複数の当たり面３６０として、突出部３２０に、Ｈ方向の手前側（低温側）から奥側（高温側）に向けて、低温当たり面４００、第１当たり面３２２、第２当たり面３４０、第３当たり面３３４、及び、高温当たり面３５２を備えている。例えば、第１当たり面３２２は湯温４２度、第２当たり面３４０は湯温４５度、第３当たり面３３４は湯温４５度、高温当たり面３５２は湯温４５度以上になるように設定されている。
【００３３】
低温当たり面４００は、水温調整部２７を湯水Ｗが低温になる周方向（即ち、図３に示すＣ方向においてＨ方向とは逆向き）に回転させたときに水温調整部２７の回転が停止する低温停止位置ＰＸ０に設けられている。低温停止位置ＰＸ０では、係止部４１２の側面４１６が低温当たり面４００に当たる。
【００３４】
第１当たり面３２２は、Ｃ方向において、Ｈ方向の手前側の所定の位置ＰＸ１に設けられている。第１当たり面３２２には、Ｒ方向において第１位置Ｐ１にある安全ボタン４１０がＣ方向の位置ＰＸ１にきたときに側面４１４の少なくとも一部が当接する。第１当たり面３２２は、Ｒ方向に沿って外側から内側に進むに従いＨ方向の奥側に傾斜している。第１当たり面３２２の先端３２３は、第３当たり面３３４の先端３３５よりもＲ方向の内側にある。先端３３５のＨ方向奥側には、先端３３５からＨ方向の奥側に進むに従ってＲ方向の内側から外側に傾斜する傾斜面３３２が設けられている。
【００３５】
第２当たり面３４０には、Ｒ方向において第２位置Ｐ２にある安全ボタン４１０がＣ方向の位置ＰＸ２の近傍にきたときに、側面４１４が当たる。第３当たり面３３４に、Ｃ方向において第１位置Ｐ１にある安全ボタン４１０がＣ方向の所定の位置ＰＸ３にきたときに、係止部４１２の側面４１４が当接する。Ｃ方向における第２当たり面３４０は、第３当たり面３３４のＨ方向の手前側にずれている。
【００３６】
Ｃ方向の第２当たり面３４０と第３当たり面３３４との間に、溝部３５０が形成されている。溝部３５０は、Ｃ方向においてＨ方向に沿って高温上限位置ＰＸ４まで延び、係止部４１２が案内可能に形成されている。
【００３７】
溝部３５０の底面は、高温当たり面３５２になっている。高温当たり面３５２は、水温調整部２７を湯水Ｗが高温になる周方向（即ち、図３に示すＨ方向）に回転させたときに水温調整部２７の回転が停止する高温停止位置ＰＸ４に設けられている。高温停止位置ＰＸ４では、係止部４１２の側面４１４が高温当たり面３５２に当たる。
【００３８】
水栓本体２８のＸ方向の中央部の底面に、本体吐水口３０が設けられている。本体吐水口３０に、連結部３３を介して、吐水管２１の流入口３１が接続されている。本体吐水口３０と連結部３３と流入口３１は、同軸に設けられている。吐水管２１は、軸Ｊ２９を中心として水平面内で回動することができる。吐水管２１は、本体吐水口３０で水栓本体２８から着脱自在に設けられている。
【００３９】
吐水管２１は、所定の方向（本実施形態では、水平方向）に延び、流路Ｒ２１を有する直管である。吐水管２１の流路Ｒ２１のＸ方向の幅は、流路Ｒ２１の高さより大きい。流入口３１は、吐水管２１の上流側の端部の上面（即ち、浴槽１１に向く面とは反対側の面）に設けられている。本体吐水口３０は、吐水管２１の上流側の端部の上面に設けられている。吐水管２１は、例えば真鍮製である。
【００４０】
図３に示すように、複合吐水部２５は、カバー３２と、カバー３２に収容された吐出切替部（ハンドル）３４、整流吐出部３６、ミスト吐出部３８、及び、吐水管接続部２３０と、を備えている。複合吐水部２５は、吐水管２１の下流側の先端部に連設されている。
【００４１】
カバー３２は、吐水管嵌合部４８と、カバー本体４６と、を備え、カバー本体４６は第１カバー４１と、第２カバー４２とで構成されている。吐水管嵌合部４８は、吐水管２１の下流側の端部に外嵌されている。カバー本体４６は、吐水管嵌合部４８の先端部、即ち吐水管嵌合部４８の吐水管２１とは反対側に膨出している。以下、カバー本体４６、吐出切替部３４、整流吐出部３６、及び、ミスト吐出部３８の構成の説明では、カバー３２及び吐出切替部３４の中心となる軸Ｊ２５に沿う方向を上下方向と称する。上下方向において吐出切替部３４に近い方を上側と称し、整流吐出部３６やミスト吐出部３８に近い方、言い換えれば浴槽１１に近い方を下側と称する。
【００４２】
第１カバー４１の上流側の側面４１ｒに、吐水管嵌合上部４３が形成されている。吐水管嵌合上部４３は、側面４１ｒから軸Ｊ２５を中心とする径方向（以下、単に「径方向」と称する）の外側に突出している。
【００４３】
第１カバー４１の上端の外周縁には、径方向の内側に凹む凹部５４が形成されている。凹部５４には、装飾部材５６が嵌まっている。
【００４４】
第２カバー４２の上流側の側面４２ｒに、吐水管嵌合下部４４が形成されている。吐水管嵌合下部４４は、側面４２ｒから径方向の外側に突出している。吐水管嵌合下部４４は、吐水管２１の下流側の端部の下側に外嵌している。図２に示すように、第１カバー４１の上流側の下部に、第２カバー４２が係止されている。図３に示すように、側面４２ｒの内周面に、突起２４４が形成されている。突起２４４は、側面４２ｒの内周面から径方向の内側に突出し、上下方向に延びている。
【００４５】
図２に示すように、カバー本体４６は、上面視で円形に形成され、上側から下側に進むに従って拡径している。前述の概形に合わせて、カバー本体４６に、上から下に進むに従って拡径する中空部Ｓ１が形成されている。
【００４６】
吐出切替部３４は、ハンドルカバー５０と、切替弁６０と、を備えている。ハンドルカバー５０は、使用者が切替弁６０を操作するために設けられている。ハンドルカバー５０は、カバー３２の上方に配置されている。ハンドルカバー５０は、カバー３２の上側の端部と略同じ直径を有し、有底筒状に形成され、底面を上側に向けている。ハンドルカバー５０は、切替弁６０と同軸で接続され、切替弁６０と連動して軸Ｊ２５を中心に回転する。ハンドルカバー５０の外周面に、突起５１（図２参照）が設けられている。突起５１は、ハンドルカバー５０の外周面から径方向の外側に突出し、上下方向に延びている。突起５１は、水栓２０の使用者が整流及びミストの少なくとも一方又は両方の何れを吐水させるかを決定する際の目印となっている。
【００４７】
切替弁６０は、中空部Ｓ１に配置されている。図３及び図４に示すように、切替弁６０は、上側から下側に向けて、Ｅリング７０、ストッパー８０、クイックリング９０、スプリング９８、切替弁ホルダ１００、切替部１２０、シリンダ板１４０、パッキン１５０、及び、止水弁１６０を備えている。切替弁６０を構成する複数の構成要素の上面視の中心は、軸Ｊ２５に揃っている。
【００４８】
図４に示すように、Ｅリング７０は、本体７２と、３つの係止部７４Ａ，７４Ｂ，７４Ｃと、を備えている。本体７２は、上面視で弧を描くように形成されている。係止部７４Ａ，７４Ｂは、本体７２の軸Ｊ２５を中心とする周方向（以下、単に「周方向」と称する）の両端に設けられている。係止部７４Ｃは、本体７２の周方向の略中央部に設けられている。３つの係止部７４Ａ，７４Ｂ，７４Ｃは、何れも本体７２から径方向の中心に向かって突出しており、Ｅリング７０は平面視で略Ｅ字状に形成されている。
【００４９】
ストッパー８０は、Ｅリング７０と略同じ直径を有し、筒状に形成されている。ストッパー８０に、軸Ｊ２５方向に沿って貫通孔８２が形成されている。ストッパー８０の底面に、該底面から下方に突出し、且つ側面視で半円状に形成された突起８４が周方向に２つ対向するように設けられている。
【００５０】
クイックリング９０は、環状の本体９２と、２つの突出部９４と、を備えている。突出部９４は、本体９２の径方向の外側に突出している。２つの突出部９４の各々の上面に、凹部９６が形成されている。凹部９６は、突起８４が嵌合されるように形成されている。２つの突出部９４の各々の底面に、該底面から上方に凹む凹部９７が形成されている（図３参照）。
【００５１】
切替弁ホルダ１００は、底面部１０３、底面部１０３から上方に延びる内壁部１０４、中壁部１０６（図９参照）、外壁部１１０、及び、底面部１０３から下方に延びる脚部１１２を備えている。
【００５２】
図３及び図４に示すように、底面部１０３は、周方向に拡がっている。底面部１０３に、軸Ｊ２５方向に沿って延びる貫通孔１０２が形成されている。内壁部１０４は、貫通孔１０２の外周壁をなしている。中壁部１０６は、内壁部１０４より径方向の外側にある。軽量化を図るために、中壁部１０６は、周方向において、間隔をあけて２箇所に設けられている。中壁部１０６の上端の一部に、前記上端からさらに上側に突出する突出部１０６ｔが設けられている。
【００５３】
外壁部１１０は、中壁部１０６より径方向の外側にある。即ち、切替弁ホルダ１００の上側は、３重管構造になっている。外壁部１１０の外周面には、径方向の内側に凹む凹部２６０が形成されている（図３参照）。凹部２６０に、パッキン２６１が収まっている。脚部１１２は、底面部１０３の径方向の外側の下面から下方に延びている。脚部１１２には、周方向において複数の貫通孔１１４が互いに間隔をあけて形成されている。脚部１１２の下端縁に、凹部１１５，１１６が形成されている。凹部１１５，１１６は、脚部１１２の下端縁から上側に凹んでいる。
【００５４】
切替部１２０は、上側から下側に向けて、連動部（切替軸）１２２と、芯部１２４と、湯水流入部１２６と、を備えている。連動部１２２は、上面視で、角部が円滑な矩形状に形成されている。連動部１２２の上面に、凹部１２５が形成されている。連動部１２２の外周面に、係止部１２３が設けられている。係止部１２３は、前記外周面から径方向の外側に突出し、上下方向において連動部１２２の全体に亘っている。また、連動部１２２の外周面に、溝１２７が形成されている。溝１２７は、周方向において連動部１２２の全周に亘っている。溝１２７の上下方向の大きさ（即ち、溝の幅）は、Ｅリング７０の上下方向の大きさ（厚さ）に合わせて設定されている。
【００５５】
芯部１２４は、連動部１２２の下側の端部に接続され、筒状に形成されている。芯部１２４の外周面には、径方向の中心側に凹む切欠部１３８が形成されている。切欠部１３８に、パッキン１３９が収まっている（図３参照）。芯部１２４の下端部に、拡径部１２８が設けられている。拡径部１２８は、前記下端部から径方向の外側に拡がっている。
【００５６】
湯水流入部１２６は、環状且つ板状に形成され、上下方向において３つの支持部１３０によって拡径部１２８に支持されている。支持部１３０は、拡径部１２８から径方向の外側に突出し、下方に向けて屈曲し、湯水流入部１２６の上面に接続している。湯水流入部１２６の径方向の内側に、湯水流入口１３４が形成されている。湯水流入部１２６の底面の径方向の外側に、下方に延びる延部１３７が設けられている。湯水流入部１２６の下方且つ延部１３７の径方向の内側に、段差１３６が形成されている（図４参照）。湯水流入部１２６の外周縁の２箇所に、径方向の中心側に向かって切り欠かれた切欠部１３８が形成されている。
【００５７】
図３に示すように、連動部１２２の溝１２７より下側は、中空部Ｓ１に配置されている。溝１２７に、Ｅリング７０が嵌合されている。貫通孔８２の上部は溝１２７より下部の連動部１２２の外周縁と同じ形状を有し、貫通孔８２の下部は芯部１２４の外周縁と同じ形状を有している。従って、貫通孔８２に、連動部１２２の下部及び芯部１２４の上端部が挿通している。
【００５８】
突起８４が凹部９６に嵌合されると共に、凹部９７に、スプリング９８の上端部が挿入されている。図３及び図４に示すように、径方向において、内壁部１０４と中壁部１０６との間に形成された凹所に、スプリング９８の下端部が挿入されている。中壁部１０６は、連動部１２２との間に、ストッパー８０の下端部、クイックリング９０、及びスプリング９８を挟んでいる。（図９参照）
【００５９】
シリンダ板１４０は、略円盤状に形成され、段差１３６に嵌まっている。段差１３６に嵌まった状態で、シリンダ板１４０は、湯水流入口１３４の底部に配置される。シリンダ板１４０に、貫通孔（第１貫通孔）１４２Ａ及び貫通孔（第２貫通孔）１４２Ｂが形成されている。２つの貫通孔１４２Ａ，１４２Ｂは、周方向の略１／４ずつを開口するように、互いに間隔をおいて形成されている。シリンダ板１４０において、貫通孔１４２Ａ，１４２Ｂが形成された以外の領域は板面として構成され、湯水流入口１３４を閉塞している。シリンダ板１４０の外周部において、切欠部１３８に対応する２箇所に、突起１４４が設けられている。突起１４４は、シリンダ板１４０の外周部から上方に延び、切欠部１３８に嵌められている。
【００６０】
パッキン１５０に、２つの貫通孔１５２Ａ，１５２Ｂが形成されている。パッキン１５０は、後述する止水弁１６０の凹部１６５に嵌合可能な形状で形成されている。
【００６１】
止水弁１６０は、分岐部１６２と、支持壁１６４と、を備えている。分岐部１６２は、平面視で円形に形成されている。分岐部１６２に、通水孔（第１通水孔）１６２Ａ及び通水孔（第２通水孔）１６２Ｂが形成されている。通水孔１６２Ａ，１６２Ｂは、周方向で隣り合う略１／３ずつを開口している。パッキン１５０の貫通孔１５２Ａ，１５２Ｂの各々は、上面視で通水孔１６２Ａ，１６２Ｂの各々と同様の形状を有し、通水孔１６２Ａ，１６２Ｂより一回り大きく形成されている。通水孔１６２Ａ，１６２Ｂの外周縁に、隔壁１６３Ａ，１６３Ｂが設けられている。隔壁１６３Ａ，１６３Ｂの周囲は、径方向の外側の外周上部２６３より下側に凹んだ凹部１６５が形成されている。凹部１６５は、隔壁１６３Ａ，１６３Ｂの外周縁に沿い、隔壁１６３Ａ，１６３Ｂ同士を隔てている。凹部１６５に、パッキン１５０が嵌まっている。
【００６２】
外周上部２６３の上面の外周縁に、突起１１８，１１９が形成されている。突起１１８，１１９は、外周上部２６３の上面の外周縁から上方に延びている。突起１１８の側面視の形状は、凹部１１５の側面視の形状と略同等である。突起１１９の側面視の形状は、凹部１１６の側面視の形状と同様である。突起１１８は凹部１１５に嵌まり、突起１１９は、凹部１１６に嵌まっている。
【００６３】
図４に示すように、分岐部１６２の上面において、周方向で、通水孔１６２Ａ，１６２Ｂが形成されていない１／３の部分（残部）は、平面視で閉塞されている。前記残部に、凹部１６６が形成されている。凹部１６６の深さは、凹部１６５の深さと略同じである。凹部１６５と凹部１６６との間に、隔壁１６３Ｃ，１６３Ｄがある。隔壁１６３Ｃ，１６３Ｄ同士の間に、隙間ｇがあいている。凹部１６５と凹部１６６は、隙間ｇで連通している。図３に示すように、分岐部１６２の外周面に、径方向の内側に凹む凹部１６８が形成されている。凹部１６８に、パッキン１６９が収まっている。
【００６４】
図５に示すように、支持壁１６４は、分岐部１６２の底面の外周部から下側に延びている。通水孔１６２Ｂの周方向の下方にあたる支持壁１６４の部分、且つ支持壁１６４の上側の部分に、ミスト用吐水口１７０Ｍが開口している。支持壁１６４の内部に、ミスト用導水壁１７２が設けられている。
【００６５】
ミスト用導水壁１７２は、通水孔１６２Ｂとミスト用吐水口１７０Ｍとを連通させるように形成されている。ミスト用導水壁１７２は、隣接する側壁１７２Ａ，１７２Ｂと、側壁１７２Ａ，１７２Ｂに連設された底壁１７２Ｃと、を備えている。側壁１７２Ａ，１７２Ｂはそれぞれ、凹部１６５のうち、通水孔１６２Ａ，１６２Ｂ同士を隔てる部分（凹部１６５ｊ）と、通水孔１６２Ｂと凹部１６６とを隔てる部分（凹部１６５ｋ）の各部分の下方にあたる分岐部１６２の下面から、下降しつつ、ミスト用吐水口１７０Ｍの下端部に向けて緩やかに湾曲している。底壁１７２Ｃは、側壁１７２Ａ，１７２Ｂの各々の下端部からミスト用吐水口１７０Ｍの下端部に延び、軸Ｊ２５に直交する面に沿っている。即ち、底壁１７２Ｃ及び側壁１７２Ａ，１７２Ｂによって、ミスト流路ＲＭが構成されている。
【００６６】
図６に示すように、支持壁１６４の内部に、ミスト用導水壁１７２に加えて、隔壁１７４が設けられている。隔壁１７４は、側壁１７２Ａ，１７２Ｂ同士の接合部から、通水孔１６２Ａと凹部１６６とを隔てる部分（凹部１６５ｍ）の下方にあたる分岐部１６２の下面に沿って、支持壁１６４の径方向の内側の面まで配され、上下方向に延びている。支持壁１６４の下面全体に、整流用吐水口１７０Ｓが開口している。
【００６７】
止水弁１６０において、整流流路ＲＳは、通水孔１６２Ａと整流用吐水口１７０Ｓが支持壁１６４の内部で連通することによって形成されている。ミスト流路ＲＭは、通水孔１６２Ｂとミスト用吐水口１７０Ｍが連通することによって形成されている。ミスト用導水壁１７２によって、整流流路ＲＳとミスト流路が完全に遮断され、整流用吐水口１７０Ｓとミスト用吐水口１７０Ｍが完全に遮断されている。
【００６８】
支持壁１６４の外周面の下部に、径方向の内側に凹む凹部１７７が形成されている。凹部１７７に、パッキン１７８が収まっている。支持壁１６４の下端に、径方向における止水弁１６０の位置を決めるための環状部１７９が嵌っている。環状部１７９は、基台２２３と、係止部２２４と、を備えている。基台２２３は、支持壁１６４の下端に下方から接触している。係止部２２４は、基台２２３の内周縁から上方に延び、支持壁１６４の下端部の径方向の内側に接触している。
【００６９】
図３に示すように、整流吐出部３６及びミスト吐出部３８は、吐出切替部３４の下部に接続し、固定部２００に設けられている。固定部２００は、内壁部２０２と、外壁部２０４と、底部２０６と、を備えている。底部２０６は、カバー本体４６の下端の開口に嵌まっている。底部２０６の径方向の中央に、上側に凹む挿通孔２０８が形成されている。挿通孔２０８の側壁は、雌ねじが形成されている。挿通孔２０８に、所謂ストレーナ等と呼ばれる整流吐水具２１０が螺合されている。挿通孔２０８に整流吐水具２１０を下方からねじ込めるように、整流吐水具２１０の側面に、雄ねじが形成されている。整流吐水具２１０の下部に、整流網が設けられている。整流吐水具２１０の下端の径方向の中央に、整流吐水口２２０Ｓが設けられている。
【００７０】
内壁部２０２は、挿通孔２０８の外周縁に配され、底部２０６から上側に略円筒状に延びている。上下方向における挿通孔２０８の上端部、即ち内壁部２０２の中央近傍に、突起２１２が設けられている。突起２１２は、内壁部２０２から径方向の内側に突出している。径方向における突起２１２同士の間に、貫通孔２１４が形成されている。挿通孔２０８と貫通孔２１４は、連通している。突起２１２の上方に、基台２２３が配置されている。突起２１２の上側の内壁部２０２の径方向の内側に、支持壁１６４の下端部が係止されている。
【００７１】
外壁部２０４は、内壁部２０２の径方向の外側に設けられ、底部２０６から上側に略円筒状に延びている。外壁部２０４の外周面の上部は、雄ねじが形成されている。外壁部２０４の外周面の下部に、径方向の内側に凹む凹部２５２が形成されている。凹部２５２に、パッキン２５３が収まっている。
【００７２】
固定部２００における内壁部２０２と外壁部２０４との間に、ミスト通水孔２１６が形成されている。ミスト通水孔２１６は、周方向に沿って等間隔に形成されている。各々のミスト通水孔２１６に、拡散具２１８が挿入されている。拡散具２１８は、把持部２２６と、拡散吐水部２２８と、を備えている。把持部２２６は、ミスト通水孔２１６より小さい直径の略円柱状に形成されている。拡散吐水部２２８は、把持部２２６の下側に連設され、ミスト通水孔２１６と略同じ直径を有している。拡散吐水部２２８の外周面に、上下方向に沿って螺旋状の溝２２９が形成されている。ミスト通水孔２１６の下部は、一旦縮径され、その後、再度拡径されて、ミスト吐水口２２０Ｍになっている。ミスト吐水口２２０Ｍの直径は、ミスト通水孔２１６の上端部の直径と略同じに構成されている。
【００７３】
図３を参照するとわかるように、連動部１２２の上部は、カバー３２の上端から上方に突出している。連動部１２２は、ハンドル接続部６５を介してハンドルカバー５０に接続されている。ハンドル接続部６５は、本体６６と、延出部６７と、を備えている。本体６６は、ハンドルカバー５０の内部に収まるように形成されている。本体６６の外周面には、径方向の中心側に凹む凹部６８が形成されている。凹部６８に、パッキン６９が収まっている。
【００７４】
本体６６の上面に、第１凹部６７Ａが形成されている。第１凹部６７Ａの底面に、第１凹部６７Ａより小さい直径を有する貫通孔６７Ｂが形成されている。第１凹部６７Ａと貫通孔６７Ｂの中心は、軸Ｊ２５に揃っている。第１凹部６７Ａ、貫通孔６７Ｂ、及び切替部１２０の凹部１２５に、ねじ２０１が挿入されている。ねじ２０１の頭部は、第１凹部６７Ａ内に配置されている。ねじ２０１の軸部は、貫通孔６７Ｂに挿通され、凹部１２５に螺合されている。
【００７５】
図８に示すように、吐水管接続部２３０は、吐水管２１の下流側の端部に直接、接続している。図３及び図７に示すように、吐水管接続部２３０は、上部２３２と、下部２３４と、を備えている。上部２３２の側面に、挿入口２３６が設けられている。挿入口２３６に、吐水管２１の下流側の端部が挿入されている。挿入口２３６の高さは、支持部１３０の高さと同じである。上部２３２の内周面の上端部に、径方向の外側に凹む凹部２３８が形成されている。凹部２３８に、平面視で円弧上に形成されたＣリング２３９が挿入されている。上部２３２の径方向の内側とＣリング２３９の下側にできる段差に、外壁部１１０の上端部の外周縁が係止されている。下部２３４の内側の面の上流側（即ち、上面視で吐水管２１側）に凹部２９１が形成されている。
【００７６】
下部２３４は、上部２３２より大きい直径を有している。下部２３４の内周面の上下方向の少なくとも一部に、雌ねじが形成されている。外壁部２０４の外周面の雄ねじ部分が、下部２３４の内周面の雌ねじ部分に螺合し、下部２３４と固定部２００とが連結されている。このことによって、下部２３４に、底部２０６より上側の固定部２００の構成及び固定部２００より径方向の内側の構成要素が全て収まっている。図７で隠れているが、下部２３４の外周面において、吐水管２１の下流側の端部の下方にあたる位置に、凹部が形成されている。この凹部に、突起２４４が嵌合される。
【００７７】
上述で説明した各構成要素の吐水管２１への固定について、図７及び図８を参照し、説明する。図７では、吐水管２１の下流側の端部に上部２３２が挿入され、吐水管２１と上部２３２とがロウ付けされている。このことによって、流路Ｒ２１と、挿入口２３６と、湯水流入口１３４が連通している。図７に示す状態から、先ず、Ｃリング２３９が上方から外壁部１１０の所定の位置に配され、切替弁６０、及び、環状部１７９が上方から吐水管接続部２３０の中空部Ｓ４に挿入される。次いで、パッキン２５３が凹部２５２に収まり、ミスト通水孔２１６に拡散具２１８が挿入されつつ、固定部２００が下方から下部２３４の内側にねじ止めされる。整流吐水具２１０は、下方から挿通孔２０８にねじ止めされる。
【００７８】
図７に示す状態と同様に、図８では、吐水管２１の下流側の端部と上部２３２とがロウ付けされている。図８に示す状態から、先ず、第１カバー４１が上方から吐水管接続部２３０に被さり、装飾部材５６が凹部５４に嵌められる。次いで、パッキン６９が凹部６８に嵌められ、第１カバー４１の上端の開口を通じ、ハンドル接続部６５が連動部１２２に上方から嵌められる。ねじ２０１を上方から凹部１２５にねじ込むことで、ハンドル接続部６５が上部２３２に固定される。
【００７９】
続いて、ハンドルカバー５０が本体６６に装着される。このように、水栓２０の使用者が直接手を触れるハンドルカバー５０は、整流及びミストの少なくとも一方が吐水される側（即ち、複合吐水部２５の下側）とは、反対側（即ち、複合吐水部２５の上側）に設けられている。続いて、下部２３４の外周面の凹部に、突起２４４が嵌まると、第２カバー４２が下部２３４に装着される（図３参照）。吐水管嵌合下部４４が吐水管２１の下流側の端部の下側に装着されている。さらに、突起２１２が凹部２９１に嵌まるように、突起第１カバー４１の上流側の下部に、第２カバー４２が係止されている。
【００８０】
次いで、図９から図１４を参照し、水栓２０からの吐水を整流及びミストの少なくとも一方又は両方に切り替える方法と原理を説明する。
【００８１】
＜複合吐水部までの共通吐水＞
水栓２０の使用者（以下、単に「使用者」という場合がある）が操作レバー２９を「吐水開始」の位置に動かすと、湯水Ｗ（即ち、所望の水温の水）が吐水操作部２３から吐水管２１の流路Ｒ２１を流下し、複合吐水部２５に流入する。挿入口２３６から湯水流入口１３４に至る流路は、吐水形態に依らない共通流路ＲＣとなっている。複合吐水部２５に流入した湯水Ｗは、共通流路ＲＣを流下する。
【００８２】
＜整流のみの吐水＞
水栓２０で整流のみを吐水させるためには、使用者がハンドルカバー５０の突起５１を周方向の「整流吐水」の位置に動かす。ハンドルカバー５０の回転に連動し、連動部１２２、シリンダ板１４０が軸Ｊ２５を中心に回転する。図９の（a），（ｂ）及び図１０に示すように、上側から下側に向けて、貫通孔１４２Ａと凹部１６６が重なり、貫通孔１４２Ｂと通水孔１６２Ａが重なる。このことによって、貫通孔１４２Ｂと通水孔１６２Ａが連通し、連通部２７３Ａが形成され、整流流路ＲＳが開通する。一方で、図１０に示すように、貫通孔１４２Ａは、凹部１６６の下側の面で閉塞される。従って、共通流路ＲＣを流下した湯Ｗの流下先は、整流流路ＲＳのみに切り替わり、貫通孔１４２Ａを流下した湯Ｗは吐水されない。整流流路ＲＳを流下した湯Ｗは、整流用吐水口１７０Ｓからさらに流下し、整流吐水口２２０Ｓから整流として吐水される。このような動作によって、複合吐水部２５からは、整流ＷＳ（図２参照）のみが吐水される。
【００８３】
＜整流及びミストの吐水＞
水栓２０で整流及びミストを吐水させるためには、使用者がハンドルカバー５０の突起５１を周方向において「整流吐水」と「ミスト吐水」との間の所望の位置に動かす。ハンドルカバー５０の回転に連動し、連動部１２２、シリンダ板１４０が軸Ｊ２５を中心に回転する。図１１の（ａ），（ｂ）及び図１２に示すように、上側から下側に向けて、貫通孔１４２Ａと通水孔１６２Ａ、及び貫通孔１４２Ｂの一部と通水孔１６２Ａが重なり、貫通孔１４２Ｂの残りの部分と通水孔１６２Ｂが部分的に重なる。このことによって連通部２７３Ａが形成され、貫通孔１４２Ａと通水孔１６２Ａが連通し、整流流路ＲＳが開通する。同時に連通部２７３Ｂが形成され、貫通孔１４２Ｂと通水孔１６２Ｂが連通し、ミスト流路ＲＭが開通する。従って、共通流路ＲＣを流下した湯Ｗのうち、貫通孔１４２Ａを流下した湯Ｗは、整流流路ＲＳを流下し、整流吐水口２２０Ｓから整流ＷＳとして吐水される。貫通孔１４２Ｂと通水孔１６２Ａとで連通した連通部１４２Ｂａを流下した湯水Ｗも、整流流路ＲＳを流下し、整流吐水口２２０Ｓから整流ＷＳとして吐水される。貫通孔１４２Ｂと通水孔１６２Ｂとで連通した連通部１４２Ｂｂを流下した湯水Ｗは、ミスト流路ＲＭを流下し、ミスト吐水口２２０ＭからミストＷＭ（図２参照）として吐水される。
【００８４】
使用者がハンドルカバー５０の突起５１の位置を周方向において「整流」と「ミスト」との間で動かすと、ハンドルカバー５０の回転に連動し、連通部１４２Ｂａと連通部１４２Ｂｂとの面積比が変わる。整流とミストの吐水量の比は、（貫通孔１４２Ａ及び貫通孔１４２Ｂと通水孔１６２Ａとで連通した連通部２７３Ａの総面積）と（貫通孔１４２Ａ及び貫通孔１４２Ｂと通水孔１６２Ｂとで連通した連通部２７３Ｂの総面積）の比によって変わる。このことによって、使用者は、ハンドルカバー５０の突起５１の位置を変えることで、整流とミストの吐水量の比を所望の比に変えることができる。即ち、水栓２０は、切替部１２０によって、整流吐水口２２０Ｓに流下させる湯水Ｗの量と、ミスト吐水口２２０Ｍに流下させる湯水Ｗの量との割合を調整可能に構成されている。
【００８５】
＜ミストのみの吐水＞
水栓２０でミストのみを吐水させるためには、使用者がハンドルカバー５０の突起５１を周方向の「ミスト吐水」の位置に動かす。ハンドルカバー５０の回転に連動し、連動部１２２、シリンダ板１４０が軸Ｊ２５を中心に回転する。図１３の（a），（ｂ）及び図１４に示すように、上側から下側に向けて、貫通孔１４２Ａの一部及び貫通孔１４２Ｂの一部と通水孔１６２Ｂが重なる。貫通孔１４２Ａ，１４２Ｂは、通水孔１６２Ａ（及び凹部１６６）には重ならない。このことによって、連通部１４２Ａｂ，１４２Ｂｂ、即ち連通部２７３Ｂが形成され、貫通孔１４２Ａ，１４２Ｂと通水孔１６２Ｂが連通し、ミスト流路ＲＭのみが開通する。一方で、図１４に示すように、通水孔１６２Ａ及び凹部１６６は、シリンダ板１４０のうち貫通孔１４２Ａ，１４２Ｂが設けられていない部分で閉塞される。従って、共通流路ＲＣを流下した湯Ｗの流下先は、ミスト流路ＲＳのみに切り替わる。ミスト流路ＲＭを流下した湯Ｗは、ミスト吐水口２２０Ｍからミストとして吐水される。このような動作によって、複合吐水部２５からは、ミストＷＭのみが吐水される。
【００８６】
＜水温調整の方法＞
水栓２０で吐出する湯水Ｗの温度を調整する方法について説明する。
【００８７】
使用者が安全ボタン４１０を押圧せずに、水温調整部２７をＣ方向の低温側（例えば、低温停止位置ＰＸ０）からＨ方向に回転させると、Ｒ方向において第１位置Ｐ１にある安全ボタン４１０の係止部４１２の側面４１４が第１当たり面３２２に当たり、水温調整部２７の回転が一旦止まる。このとき、安全ボタン４１０は、Ｃ方向において所定の位置ＰＸ１に配置される。この状態において、使用者は、例えば湯温４２度の湯水Ｗを複合吐水部２５から吐水することができる。
【００８８】
次に、使用者が安全ボタン４１０をＲ方向の外側から内側に向けて押圧すると、安全ボタン４１０が第１当たり面３２２に案内されつつ、Ｒ方向において第２位置Ｐ２に移動する。この後、使用者が安全ボタン４１０を押したまま水温調整部２７をＨ方向に回転させると、Ｒ方向においては変わらず第２位置Ｐ２にある係止部４１２が第１係止面３１８に当接しつつ、Ｈ方向の奥側に移動し、第２当たり面３４０に当接する。このことによって、水温調整部２７の回転が位置ＰＸ２で再び止まり、急にＨ方向の奥側に回転し過ぎる（例えば、一気に高温上限位置ＰＸ４まで達する）ことはない。この状態において、使用者は、例えば湯温４５度の湯水Ｗを複合吐水部２５から確実に吐水することができる。
【００８９】
安全ボタン４１０が所定の位置ＰＸ１に位置している状態で、安全ボタン４１０を外側から内側に向けて押圧し、係止部４１２が第１当たり面３２２よりもＲ方向の内側に案内された段階で水温調整部２７をＨ方向に回動すると、係止部４１２が先端３２３を乗り越える。係止部４１２が先端３２３を乗り越えた状態で使用者が安全ボタン４１０の押圧を解除し（安全ボタン４１０を離し）、水温調整部２７をＨ方向に回動すると、係止部４１２は傾斜面３３２に沿って案内されつつ、Ｒ方向の内側から外側に移動し、Ｈ方向の奥側に移動し、第３当たり面３３４に当接する。このことによって、水温調整部２７の回転が位置ＰＸ３で再び止まり、急にＨ方向の奥側に回転し過ぎることはない。この状態において、使用者は、例えば湯温４５度の湯水Ｗを複合吐水部２５から確実に吐水することができる。なお、係止部４１２が第２当たり面３４０に当接した状態で、安全ボタン４１０の押圧を解除する（安全ボタンを離す）と、上記と同様に係止部４１２は傾斜面３３２に当接する位置まで戻り、Ｈ方向に回転すると、係止部４１２は第３当たり面３３４に当接することになる。
【００９０】
水温調整部２７がＣ方向の位置ＰＸ３で止まった後、安全ボタン４１０を押圧すると、Ｒ方向において係止部４１２が第１位置Ｐ１から内側に移動する。すると、係止部４１２は、第２当たり面３４０の先端からＨ方向に沿って延びる面３４２に当接する。この状態で、水温調整部２７をＨ方向に回転すると、係止部４１２は溝部３５０の内部に案内され、Ｈ方向の奥側に移動し、高温当たり面３５２に当接するまで回転可能になる。係止部４１２は、高温当たり面３５２よりもＨ方向の奥側には移動できないので、水温調整部２７の高温側への回転も止まり、使用者は、高温停止位置ＰＸ４よりＨ方向の奥側へ回転させることはできない。この状態において、使用者は、例えば湯温４５度以上の湯水Ｗを複合吐水部２５から吐水することができる。
【００９１】
以上説明した本実施形態の水栓２０は、水栓本体２８と、水栓本体２８に接続され、軸中心にＣ方向に回転すると共に、水栓本体２８から吐出される湯水Ｗの温度を調節する水温調整部２７と、外周面３００ｒからＲ方向の外側に突出し、Ｒ方向の外側から押された際に、Ｒ方向の外側から内側に移動する安全ボタン４１０と、安全ボタン４１０のＲ方向内側の先端部に設けられた係止部４１２と、を備えている。また、水栓本体２８に、Ｃ方向において低温停止位置ＰＸ０と高温停止位置ＰＸ４との間に設けられ、安全ボタン４１０が押圧されていない状態で水温調整部２７をＨ方向に回転させた際に、係止部４１２が当接し、Ｈ方向への係止部４１２の移動を規制する第１当たり面３２２と、Ｃ方向において低温停止位置ＰＸ０と高温停止位置ＰＸ４との間に設けられ、安全ボタン４１０がＲ方向の最も内側（即ち、第２位置Ｐ２）まで押圧された状態で水温調整部２７をＨ方向に回転させた際に、係止部４１２が当接し、Ｈ方向への係止部４１２の移動を規制する第２当たり面３４０が設けられている。
【００９２】
水栓２０によれば、係止部４１２が第１当たり面３２２に当たってＨ方向への移動が規制されている状態から、使用者が安全ボタン４１０を押したまま水温調整部２７を操作し、安全ボタン４１０が径方向の最も内側にある状態で水温調整部２７がＣ方向の高温側に回転しても、位置ＰＸ２で、係止部４１２が第２当たり面３４０に当たり、水温調整部２７の高温側への回転を規制することができる。このことによって、安全ボタンを押したまま水温調整部２７を操作しても使用者に高温の湯水Ｗが吐水されることを防止することができる。
【００９３】
また、本実施形態の水栓２０は、安全ボタン４１０がＲ方向の外側から押された際に、係止部４１２は、Ｒ方向における第１位置Ｐ１から第２位置Ｐ２に移動する。水栓本体２８には、安全ボタン４１０が押圧されていない状態で水温調整部２７を回転させた際に、安全ボタン４１０が押圧された状態で水温調整部２７を回転させて、第１当たり面３２２を乗り越えた後に安全ボタン４１０の押圧を解除し、第１位置Ｐ１に復帰した係止部４１２が当接し、湯水Ｗが高温になる周方向への移動を規制する第３当たり面３３４と、がさらに設けられている。
【００９４】
水栓２０によれば、使用者が安全ボタン４１０を一旦押して第１当たり面３２２を超えた後に安全ボタン４１０を離して水温調整部２７を回動操作し、水温調整部２７をＨ方向に回転させると、係止部４１２が第３当たり面３３４に当たる。このことによって、水温調整部２７の回転がＣ方向の所定の位置ＰＸ３で止まる。また、安全ボタン４１０が第１当たり面３２２を超えた後に使用者が安全ボタン４１０をＲ方向の内側に押すと、係止部４１２が第１係止面３１８に当接して、それ以上Ｒ方向の内側に安全ボタン４１０を押し込むことはできない。その状態で、使用者が水温調整部２７を操作し、水温調整部２７をＨ方向に回転させると、係止部４１２は第２当たり面３４０に当たるので、水温調整部２７の回転がＣ方向の所定の位置ＰＸ２で止まる。従って、使用者が安全ボタン４１０を押した後に離して操作するか、押したまま（即ち、安全ボタン４１０を押圧した状態で）操作するかに依らず、水温調整部２７が高温側へ急に回転することなく、水栓２０から高温の湯水Ｗが吐水されることを防止することができる。
【００９５】
また、本実施形態の水栓２０は、水栓本体２８に、Ｃ方向の第２当たり面３４０と第３当たり面３３４との間に形成され、Ｃ方向に沿って延び、係止部４１２を案内可能な溝部３５０が形成されている。
【００９６】
水栓２０によれば、使用者がより高温の湯水Ｗを使用したい際には、係止部４１２が第２当たり面３４０又は第３当たり面３３４に当接した状態で、安全ボタン４１０をＲ方向及びＣ方向の所定の位置（即ち、第１位置Ｐ１と第２位置Ｐ２の間、且つ所定の位置ＰＸ２とＰＸ３との間）で保持することで、係止部４１２を溝部３５０へ案内することができ、高温の湯水Ｗを吐出させることができる。
【００９７】
また、本実施形態の水栓２０は、第２当たり面３４０が第３当たり面より周方向の手前側にずれて形成されている。
【００９８】
水栓２０によれば、第２当たり面が第３当たり面３３４より周方向の手前側にあることによって、係止部４１２が第３当たり面３３４に係止されている状態から使用者が安全ボタン４１０をＲ方向の内側に押したときに、係止部４１２が溝部３５０のＲ方向の内側の側面（即ち、Ｃ方向に沿う面３４２）に当たり、溝部３５０の内部へと円滑に導かれる。このことによって、使用者がより高温の湯水Ｗを使用したい場合に、高温の湯水Ｗを確実に吐出させることが可能になる。
【００９９】
また、本実施形態の水栓２０では、第１当たり面３２２のＲ方向の内側の先端３２３は、第２当たり面３４０のＲ方向の内側の先端３３５よりもＲ方向の内側にあり、先端３２３から湯水Ｗが高温になるＨ方向に進むに従ってＲ方向の内側から外側に傾斜する傾斜面３３２が形成されている。
【０１００】
水栓２０によれば、使用者が水温調整部２７をＣ方向に沿って回そうとすると、係止部４１２が第１当たり面３２２に当接する。その後、使用者が安全ボタン４１０をＲ方向の外側から内側に押すと、係止部４１２は、第１当たり面３２２の傾斜に合わせて動き、先端３２３に達して乗り越えた後、傾斜面３３２に沿って案内され、第３当たり面３３４に向かって円滑に導かれる。
【０１０１】
以上、本発明の好ましい実施形態について詳述したが、本発明は係る特定の実施形態に限定されるものではなく、特許請求の範囲内に記載された本発明の要旨の範囲内において、種々の変更が可能である。
【０１０２】
例えば、上述の実施形態では、当たり面が合計４つ設けられている例を説明したが、当たり面の数は、４つに限定されない。
【０１０３】
また、上述の実施形態では、第１当たり面３２２、第２当たり面３４０、第３当たり面３３４、溝部３５０が全て、突出部３２０に設けられている例を説明したが、複数の当たり面３６０は必ずしも同じ突出部３２０に設けられていなくてもよく、必ずしもストップリング３１０に設けられていなくてもよい。
【０１０４】
また、水栓本体２８は、任意の構成によって安全ボタン４１０が径方向の最も内側に移動した際に径方向のさらに内側への移動を規制できれば、必ずしも係止部４１２を備えていなくてもよい。
係止部４１２は、少なくとも第一当たり面３２２、第２当たり面３４０に当接可能に形成されていればよく、必ずしもＲ方向の内側の先端部４１０ａから軸Ｊ２７に沿って筒本体３００の内部に突出していなくてもよい。
【０１０５】
本発明に係る水栓は、低温停止位置ＰＸ０で湯水Ｗが低温になる周方向への水温調整部２７の移動を停止させることができれば、必ずしも低温当たり面４００を備えていなくてもよい。同様に、本発明に係る水栓は、高温停止位置ＰＸ４でＨ方向への水温調整部２７の移動を停止させることができれば、必ずしも高温当たり面３５２を備えていなくてもよい。
【符号の説明】
【０１０６】
２０  水栓
２１  吐水管
２７  水温調整部
２８  水栓本体
３２２  第１当たり面
３３２  傾斜面
３３４  第３当たり面
３４０  第２当たり面
３５０  溝部
３６０  当たり面
４１０  安全ボタン
４１２  係止部
Ｐ１  第１位置
Ｐ２  第２位置
Ｗ  湯水
【図１】
2019044460.tif 000003
【図２】
2019044460.tif 000004
【図３】
2019044460.tif 000005
【図４】
2019044460.tif 000006
【図５】
2019044460.tif 000007
【図６】
2019044460.tif 000008
【図７】
2019044460.tif 000009
【図８】
2019044460.tif 000010
【図９】
2019044460.tif 000011
【図１０】
2019044460.tif 000012
【図１１】
2019044460.tif 000013
【図１２】
2019044460.tif 000014
【図１３】
2019044460.tif 000015
【図１４】
2019044460.tif 000016
【図１５】
2019044460.tif 000017
【図１６】
2019044460.tif 000018